(57)【特許請求の範囲】
【請求項１】
液体を含んでいる飲食物あるいは開封後に液体を入れることにより飲食時において液体が含まれた状態となる飲食物がパウチ包装袋に収容されたパウチ包装体であって、
パウチ包装袋の上部を切断した開封状態においてパウチ包装袋の開口縁部の内側に位置して該開口縁部に口を当てた際の口当たりを緩和するための口当たり緩和部材がパウチ包装袋の上部内面に固着されていることを特徴とするパウチ包装体。
【請求項２】
パウチ包装袋のサイドシール部に開封用ノッチが形成され、該開封用ノッチは、開封状態において口が当接する口当たり緩和部材の口当接部の近傍の高さに形成されている請求項１記載のパウチ包装体。
【請求項３】
開封により形成された開口部を再封するための帯状ファスナーがパウチ包装袋の上部内面に溶着され、該帯状ファスナーは、パウチ包装袋を構成するシートの内面に溶着される帯状の台座と、該台座の内面に内側に向かって突設されて互いに雄雌嵌合する雄型突条又は雌型突条からなる嵌合突条とを備えている請求項２記載のパウチ包装体。
【請求項４】
前記帯状ファスナーが口当たり緩和部材であり、台座の上端が口当接部である請求項３記載のパウチ包装体。
【請求項５】
台座は、嵌合突条より上側に位置する上側片部と嵌合突条より下側に位置する下側片部とを備え、上側片部は下側片部よりも上下方向の長さが長い請求項４記載のパウチ包装体。
【請求項６】
口当たり緩和部材の口当接部が断面視において丸く形成されている請求項１乃至５の何れかに記載のパウチ包装体。
【請求項７】
開封状態において、パウチ包装袋を構成するシートの切断端面に対して口当たり緩和部材の口当接部が上方に僅かに突出する請求項１乃至６の何れかに記載のパウチ包装体。
【請求項８】
パウチ包装袋の左右のサイドシール部には、開封後のパウチ包装体を指で吊り下げ保持するための吊り下げ部がそれぞれ形成され、該吊り下げ部は、前記口当たり緩和部材の近傍の高さに位置している請求項１乃至７の何れかに記載のパウチ包装体。
【発明の詳細な説明】
【技術分野】
【０００１】
本発明は、パウチ包装袋に飲食物を収容したパウチ包装体に関する。
【背景技術】
【０００２】
従来、パウチ包装袋の一形態であるスタンディングパウチに液体を含有する食品を収容したパウチ包装体（下記特許文献１）や、開封後に湯を注ぎ入れて食する即席麺を収容したパウチ包装体（下記特許文献２）が提案されている。
【０００３】
これらのパウチ包装体においては、スタンディングパウチのサイドシール部に形成されたノッチからスタンディングパウチの上部を切除して開封し、上方に開口する開口部から内容物である食品を取り出して食することになる。その際、スタンディングパウチの開口縁部に口を付けて食品のスープ等の液体を食したいところではあるが、スタンディングパウチの開口縁部はスタンディングパウチを構成するシートの切断端面となっていてエッジが立って薄く鋭利な状態であるため、開口縁部に口を付けた際の口当たりが良くない。従って、これらのパウチ包装体ではスープ等の液体をスプーン等ですくって食する他なく、スープ等の液体を食しにくいという問題がある。
【先行技術文献】
【特許文献】
【０００４】
【特許文献１】実開平６−３８４９号公報
【特許文献２】実用新案登録第３１５２２１３号公報
【発明の概要】
【発明が解決しようとする課題】
【０００５】
それゆえに本発明は上記従来の問題点に鑑みてなされ、スープ等の液体を飲食しやすいパウチ包装体を提供することを課題とする。
【課題を解決するための手段】
【０００６】
本発明は、上記課題を解決すべくなされたものであって、本発明に係るパウチ包装体は、液体を含んでいる飲食物あるいは開封後に液体を入れることにより飲食時において液体が含まれた状態となる飲食物がパウチ包装袋に収容されたパウチ包装体であって、パウチ包装袋の上部を切断した開封状態においてパウチ包装袋の開口縁部の内側に位置して該開口縁部に口を当てた際の口当たりを緩和するための口当たり緩和部材がパウチ包装袋の上部内面に固着されていることを特徴とする。
【０００７】
該構成のパウチ包装体にあっては、パウチ包装袋の上部を切断して開封する。該開封操作によってパウチ包装袋には上方に開口する開口部が形成される。パウチ包装体が液体を含んでいる飲食物を収容するものである場合には、その飲食物を開口部から取り出しながら食することができ、パウチ包装体が例えば即席麺等の飲食物を収容するものである場合には、開口部から湯等を入れて所定時間経過後に開口部から即席麺等の飲食物を取り出しながら食することができる。このように収容された飲食物を飲食する際においてスープ等の液体を飲む場合には、パウチ包装袋の開口縁部に口を付けてスープ等の液体を直接飲むことができる。即ち、パウチ包装袋の開口縁部にはパウチ包装袋を構成するシートの切断端面が存在するが、該シートの切断端面の内側には口当たり緩和部材が位置しているので、該口当たり緩和部材によってパウチ包装袋の開口縁部の厚さが実質上厚くなっている。かかるパウチ包装袋の開口縁部に口を付けると、口当たり緩和部材に口が当たった状態、あるいは、口当たり緩和部材とシートの切断端面に口が当たった状態となり、パウチ包装袋の開口縁部がシートの切断端面のみから構成されている場合に比して、口当たりが緩和されることになる。また、口当たり緩和部材によってパウチ包装袋の開口縁部が補強されることにもなり、パウチ包装袋の開口縁部の保形性が向上して開口部の形状が安定しやすくなるうえに、口を当てた際においてパウチ包装袋の開口縁部が変形しにくくなり、安定した状態でスープ等を飲むことができる。
【０００８】
特に、パウチ包装袋のサイドシール部に開封用ノッチが形成され、該開封用ノッチは、開封状態において口が当接する口当たり緩和部材の口当接部の近傍の高さに形成されていることが好ましい。サイドシール部の位置に開封用ノッチが形成されていると、該開封用ノッチからパウチ包装袋の上部を容易に切断することができる。そして、開封用ノッチが口当たり緩和部材の口当接部の近傍の高さに対応した位置に形成されているので、口当たり緩和部材の口当接部の近傍にパウチ包装袋の開口縁部が形成されることになる。
【０００９】
また、開封により形成された開口部を再封するための帯状ファスナーがパウチ包装袋の上部内面に溶着され、該帯状ファスナーは、パウチ包装袋を構成するシートの内面に溶着される帯状の台座と、該台座の内面に内側に向かって突設されて互いに雄雌嵌合する雄型突条又は雌型突条からなる嵌合突条とを備えていることが好ましい。帯状ファスナーが設けられていれば、特に、飲食物が即席麺等である場合に、開封後に湯を入れた後、この帯状ファスナーを用いて容易に開口部を再封することができ、別途の再封手段が不要となる。また、帯状ファスナーが帯状の台座を有する構成であれば、台座を有しない構成に比して開口部の保形性を容易に確保することができる。
【００１０】
そして、帯状ファスナーを備える構成においては、該帯状ファスナーを口当たり緩和部材とし、台座の上端を口当接部とすることができる。帯状ファスナーを口当たり緩和部材とすれば別途の口当たり緩和部材が不要になるうえに、台座の上端が開封する際の切断ガイドとしても機能して、容易に直線状に切断することができる。更に、台座を溶着する際にその台座の上端から溶融した樹脂が僅かにはみ出しているが、台座の上端が口当接部となるので、上方にはみ出した溶融樹脂によっても口当たりが更に緩和されることになる。
【００１１】
そして更に、台座は、嵌合突条より上側に位置する上側片部と嵌合突条より下側に位置する下側片部とを備え、上側片部は下側片部よりも上下方向の長さが長いことが好ましい。上側片部の上下方向の長さを長くすることにより、台座の上端が切断位置となっていても、指先で台座の上側片部を持って容易に帯状ファスナーを開くことができる。
【００１２】
また、口当たり緩和部材の口当接部が断面視において丸く形成されていることも好ましい。口当接部に口が触れる際の口当たりが更に向上する。
【００１３】
また、開封状態において、パウチ包装袋を構成するシートの切断端面に対して口当たり緩和部材の口当接部が上方に僅かに突出することも好ましい。シートの切断端面よりも口当接部が上方に位置することで、口当接部に口が当たりやすくなり、口当たりが更に向上する。
【００１４】
一方、パウチ包装袋の左右のサイドシール部には、開封後のパウチ包装体を指で吊り下げ保持するための吊り下げ部がそれぞれ形成され、該吊り下げ部は、前記口当たり緩和部材の近傍の高さに位置していることが好ましい。左右のサイドシール部に吊り下げ部が形成されていることにより、例えば親指と人差し指又は中指で開封後のパウチ包装体を吊り下げ保持して、収容された飲食物を飲食することができる。パウチ包装袋に熱い湯を入れても、サイドシール部に指が触れた状態にあるので、熱が手に伝わりにくい。そして、吊り下げ部が口当たり緩和部材の近傍の高さに位置しているので、開口部近傍を指で吊り下げ保持することができ、パウチ包装体を安定して保持することができる。しかもパウチ包装袋の開口縁部の内側には口当たり緩和部材が位置していてパウチ包装袋の開口縁部が口当たり緩和部材で補強されているので、吊り下げ保持した状態でも開口部の形状が安定しやすい。
【発明の効果】
【００１５】
以上のように、本発明に係るパウチ包装体は、パウチ包装袋の開口縁部の内側に位置する口当たり緩和部材によって口当たりが緩和されるので、パウチ包装袋の開口縁部に直接口を付けてスープ等の液体を飲むことができる。
【図面の簡単な説明】
【００１６】
【図１】本発明の一実施形態におけるパウチ包装体を示す正面図。
【図２】同パウチ包装体の開封状態を示す一部破断線を含む正面図。
【図３】同パウチ包装体の開封状態における要部を示す断面図。
【図４】本発明の他の実施形態におけるパウチ包装体を示す正面図。
【図５】（ａ）及び（ｂ）は本発明の他の実施形態におけるパウチ包装体の要部を示す正面図。
【図６】本発明の他の実施形態におけるパウチ包装体の開封状態を示す断面図。
【図７】本発明の他の実施形態におけるパウチ包装体を示す一部破断線を含む正面図。
【図８】同実施形態におけるパウチ包装体の開封状態を示す断面図。
【図９】本発明の他の実施形態におけるパウチ包装体を示す一部破断線を含む正面図。
【図１０】同実施形態におけるパウチ包装体の開封状態を示す断面図。
【図１１】本発明の他の実施形態におけるパウチ包装体を示す一部破断線を含む正面図。
【図１２】同実施形態におけるパウチ包装体の開封状態を示す断面図。
【発明を実施するための形態】
【００１７】
以下、本発明の一実施形態に係るパウチ包装体について図１〜図３を参酌しつつ説明する。図１に示すパウチ包装体は、内容物である飲食物としての即席麺２がパウチ包装袋１に収容されたものである。パウチ包装袋１は、柔軟性を有するシートの所定箇所をヒートシールすることにより袋状に形成されて内容物を収容可能な袋本体３と、該袋本体３の上部内面に溶着された口当たり緩和部材としての帯状ファスナー４とを備えている。
【００１８】
袋本体３は、底部ガセット部１０を有する自立可能なスタンディングパウチであって、シートの周縁部がヒートシールされることで袋状に形成されている。図１においてクロスハッチングを施している部分がヒートシールされたシール部である。尚、図２や図４、図５においても同様であって、クロスハッチングを施している部分がシール部である。袋本体３１は、具体的には、正面及び背面を構成する一対の主シート片１１と、該主シート片１１の下部の内側に折り込まれて底部ガセット部１０を構成するガセットシート片１２とから構成されている。左右両側縁部と上端部においてそれぞれ主シート片１１の内面同士がヒートシールされて左右一対のサイドシール部２０と上端シール部２１が形成されている。サイドシール部２０は、幅広の上部領域２０ａとそれよりも幅狭の下部領域２０ｂとを有し、上部領域２０ａには指先を挿入可能な吊り下げ孔２２（吊り下げ部）と、開封時に袋本体３の上部を切除するための開封用ノッチ２３が形成されている。
【００１９】
また、ガセットシート片１２の周縁が主シート片１１にヒートシールされることで底部ガセットシール部２４が形成されている。図１において底部ガセット部１０の折り返し部１０ａを破線で示している。また、ガセットシート片１２の両側縁には、二つ折り状態において互いに表裏方向に対向する箇所に例えば半円状に切り欠かれた切欠部（図示省略）が形成され、該切欠部の位置においては表面側の主シート片１１と裏面側の主シート片１１とが直接ヒートシールされている。従って、切欠部の位置においてガセットシート片１２が表裏方向に開くことが防止されている。尚、一対の主シート片１１を二枚のシートから別々に構成しているが一枚のシートを二つ折りにして一対の主シート片１１を一体的に構成してもよく、また、主シート片１１とガセットシート片１２とを一枚のシートから一体的に構成してもよい。
【００２０】
ここで、袋本体３を構成するシートとしては、例えば、二軸延伸ポリエステルフィルムや二軸延伸ポリアミドフィルム等よりなる外層と、低密度ポリエチレンや高密度ポリエチレン、鎖状低密度ポリエチレン、ポリプロピレン、メタロセン系ポリエチレン等の熱融着性樹脂よりなる内層とからなる、十〜数十μｍ程度の多層ラミネートフィルムが使用される。特に、エチレンビニルアルコール共重合体やアルミニウム箔、酸化ケイ素等の無機物を蒸着したフィルム等のようなガスバリア性フィルム等を積層したものを使用することが好ましい。即ち、袋本体３を構成するシートはガスバリアー層を有することが好ましい。
【００２１】
かかる袋本体３の上部内面に溶着された帯状ファスナー４は、図１に示すように左右方向に略水平に伸びていて、袋本体３の全幅に亘って設けられている。該帯状ファスナー４は、主シート片１１の内面に溶着可能な合成樹脂から形成され、図３に示すように、一方の主シート片１１の内面に溶着された雄型ファスナー片４０と、他方の主シート片１１の内面に溶着された雌型ファスナー片４１とから構成される。雄型ファスナー片４０は、一方の主シート片１１の内面に溶着される帯状の台座４２と、該台座４２の内面から内側に向かって突設されて台座４２の長手方向に沿って延びている雄型突条４３（嵌合突条）とから構成される。雌型ファスナー片４１は、他方の主シート片１１の内面に溶着される帯状の台座４２と、該台座４２の内面から内側に向かって突設されて台座４２の長手方向に沿って延びている雌型突条４４（嵌合突条）とから構成される。雌型突条４４は、雄型突条４３が凹凸係合可能な凹溝４４ａを有し、図３においては雄型突条４３と雌型突条４４が離反した状態であるが、この状態から互いに接近すると雄型突条４３が雌型突条４４の凹溝４４ａに係合し、これによって袋本体３が密封される。
【００２２】
帯状の台座４２は、主シート片１１の厚さよりも厚く、百〜数百μｍ程度の厚さである。該台座４２は、雄型突条４３又は雌型突条４４を境にして上下に区画され、雄型突条４３又は雌型突条４４よりも上側に位置する上側片部５０と、雄型突条４３又は雌型突条４４よりも下側に位置する下側片部５１とから構成される。上側片部５０は下側片部５１よりも上下方向の長さが長い。換言すれば、雄型突条４３又は雌型突条４４は、台座４２の幅方向（上下方向）の中央ではなく下側にオフセットした位置に形成されている。また、台座４２の上端４２ａは、台座４２をその幅方向（上下方向）に切断した断面視において丸く形成されている。即ち、台座４２の上端面は、平坦面ではなく、断面視において上側凸の曲面である。しかも、台座４２の上端４２ａは、他の部位に比して厚さ方向に局所的に膨出している。
【００２３】
このような構成の帯状ファスナー４が袋本体３の上部内面に溶着されているのであるが、図１に示すように、帯状ファスナー４の台座４２の上端４２ａ近傍の高さに左右の開封用ノッチ２３が位置している。より詳細には、開封用ノッチ２３は、台座４２の上端４２ａよりも若干低い位置が切断位置となるように形成されており、開封用ノッチ２３を起点として袋本体３の上部を図２及び図３のように切断すると、台座４２の上端４２ａが主シート片１１の切断端面１１ａに対して上方に僅かに突出した状態となる。従って、台座４２の上端４２ａはシートには溶着しないでおく。
【００２４】
また、左右の吊り下げ孔２２は、帯状ファスナー４の近傍の高さにある。より詳細には、帯状ファスナー４を部分的に貫通するようにして吊り下げ孔２２が形成されている。特に、吊り下げ孔２２の上部が帯状ファスナー４と重なって帯状ファスナー４を貫通している。従って、吊り下げ孔２２の壁面上部においては、一対の主シート片１１の他に、雄型ファスナー片４０及び雌型ファスナー片４１も存在しており、相応の厚さの壁面が確保されている。但し、吊り下げ孔２２は、開封用ノッチ２３よりも低い位置にある。
【００２５】
以上のように構成されたパウチ包装体にあっては、図２のように開封用ノッチ２３を起点として袋本体３の上部を切断して開封する。この開封動作においては、開封用ノッチ２３が帯状ファスナー４の台座４２の上端４２ａ近傍の高さに位置しているので、台座４２の上端４２ａが切断ガイドとして機能することになり、台座４２の上端４２ａに沿うようにして袋本体３を容易に直線状に切断することができる。
【００２６】
切断後、帯状ファスナー４の台座４２を指先で摘んで開いてパウチ包装袋１に上方に開口する開口部Ｐを形成する。その際、台座４２の上側片部５０が下側片部５１よりも上下方向の長さが長く形成されているので、上側片部５０を容易に摘んで帯状ファスナー４を開くことができる。尚、内容物として即席麺２と一緒に粉末スープや乾燥した具材、あるいは、プラスチック製のフォーク等を入れておいてもよく、その場合には、それらを開口部Ｐから取り出しておく。
【００２７】
そして開口部Ｐから湯を内部に注ぎ入れ、帯状ファスナー４を再び閉状態として密封し、所定時間経過後に再び帯状ファスナー４を開いて開口部Ｐから即席麺２を食する。その際、内部には湯が入れられていてパウチ包装体全体の重量が重くなっていると同時に、湯の高温によって袋本体３がより一層柔らかくなっているが、左右のサイドシール部２０に吊り下げ孔２２が形成されているので、その吊り下げ孔２２に例えば親指と人差し指や中指を差し入れてパウチ包装体をサイドシール部２０を介して吊り下げ保持することができる。そのため、手には熱が伝わりにくく、手で容易にパウチ包装体を持つことができる。しかも、吊り下げ孔２２の壁面上部は帯状ファスナー４の存在によって十分な厚さが確保されているので、パウチ包装体の重量が重くても、差し入れた指先が痛くなりにくい。また、吊り下げ孔２２が帯状ファスナー４の近傍の高さに位置しているので、開口部Ｐの近傍を指で吊り下げ保持することができ、重量物であるパウチ包装体を安定して吊り下げ保持することができる。しかもパウチ包装袋１の開口縁部１ａの内側には帯状ファスナー４が位置していてパウチ包装袋１の開口縁部１ａが帯状ファスナー４によって全周に亘って補強されているので、吊り下げ保持した状態でも開口部Ｐの形状が安定しやすいという利点がある。
【００２８】
このようにパウチ包装体を吊り下げ保持した状態で即席麺２を食するのであるが、別途スプーン等を用いずとも、その状態でパウチ包装袋１の開口縁部１ａに直接口を付けて液体のスープ等を飲むことができる。つまり、パウチ包装袋１の開口縁部１ａには帯状ファスナー４が位置しているので開口縁部１ａに口を付けても感触が柔らかく口当たりが良いのである。本実施形態では台座４２の上端４２ａが口当接部となって口に当たることになる。特に、台座４２の上端４２ａが主シート片１１の切断端面１１ａよりも僅かに上方に突出しているので主シート片１１の切断端面１１ａに口が触れにくいという利点がある。また、台座４２は主シート片１１よりも厚く、しかもその上端４２ａは局所的に厚くなっているので、口に触れる割合としてはほとんど台座４２の上端４２ａが占めることになり、このことからも良好な口当たりが確保される。更に、台座４２の上端４２ａが丸くなっていることも柔らかい口当たりに寄与する。また、台座４２を主シート片１１に溶着する際に台座４２の上端４２ａから溶融した樹脂が僅かに上方にはみ出しており、この上方にはみ出した溶融樹脂によっても切断端面１１ａには触れにくくなって口当たりが緩和される。
【００２９】
また、帯状ファスナー４によってパウチ包装袋１の開口縁部１ａが補強されることにもなるので、パウチ包装袋１の開口縁部１ａの保形性が主シート片１１のみの構成に比して相対的に向上して開口部Ｐの形状が安定しやすくなる。しかも、パウチ包装袋１の開口縁部１ａに口を当てた際にその押圧力でパウチ包装袋１の開口縁部１ａが変形する程度も相対的に小さくなり、熱いスープ等を安定して飲むことができる。
【００３０】
このように本実施形態におけるパウチ包装体によれば、別途の硬質容器を使用せずともそのまま容器として使用することができ、特に野外での食事に便利である。しかも、軟質包装材から構成されているので食べ終わると簡単に小さく丸めて廃棄でき、ゴミを減容することができるので、この観点からも特に野外での使用に適している。
【００３１】
尚、図４のように、台座４２の上側片部５０の上下方向の長さが下側片部５１のそれと略等しくてもよく、逆に、下側片部５１の方が長くてもよい。但し、上述したように上側片部５０の方を長くすることにより、台座４２の幅を過度に広げることなく、容易に帯状ファスナー４を開封できる。
【００３２】
また、台座４２の上端４２ａを丸く形成せずに平坦としてもよく、厚さについても上端４２ａまで均一厚に形成してもよい。
【００３３】
更に、開封用ノッチ２３は台座４２の上端４２ａの近傍に位置しておればよく、開封状態において台座４２の上端４２ａが主シート片１１の切断端面１１ａと面一であっても若干下側に位置してもよい。目安としては、開封状態において台座４２の上端４２ａが主シート片１１の切断端面１１ａに対して上下それぞれ１ｍｍ以内に収まるようにすればよい。
【００３４】
また、帯状ファスナー４の材質や厚さを適宜設定することで、開口部Ｐの形状を維持できる性能を帯状ファスナー４に持たせるようにしてもよいし、帯状ファスナー４とは別に開口状態を維持させるための保形用部材を袋本体３の内面に固着してもよい。該保形用部材は金属製であってもよいし、プラスチック製であってもよく、帯状や線状のものが使用できる。このように、帯状ファスナー４によって、あるいは、帯状ファスナー４と別途の保形用部材とによって、開口状態が維持可能に構成すれば、より一層容易に即席麺２等を食することができる。
【００３５】
更に、上記実施形態では、吊り下げ孔２２を帯状ファスナー４と重なる位置に形成したが、帯状ファスナー４と重ならないように例えば帯状ファスナー４の下側に配置してもよい。
【００３６】
また更に、吊り下げ孔２２の形状も種々のものが採用可能であって、上述したような円形のものの他、矩形等であってもよい。また、図５（ａ）のように、チューリップ型の吊り下げ孔２２としてもよい。この場合、チューリップ型の吊り下げ孔２２に指を挿入すると、吊り下げ孔２２の上側に位置する三角形状の突片３０が指の挿入方向の奥側に向けて折れ曲がり、そのシートの折れ曲げ部に指が当たることになるので、シートの端面に指が当たる場合に比して指が痛くなりにくい。特に、図５（ａ）のように吊り下げ孔２２の上側に（三角形状の突片３０の上側に）非シール部３１を形成しておけば、三角形状の突片３０が容易に折れ曲がるため好ましい。また、予め吊り下げ孔２２を形成しておくのではなく、図５（ｂ）のように下向き舌片状の切り込み３２を形成しておき、指で舌片状部３３を押して吊り下げ孔２２を形成する構成としてもよい。この場合にもシートの折り曲げ部に指が当たるので指が痛くなりにくい。また、吊り下げ部は孔形状ではなく、側方に開口した切欠形状としてもよく、指でパウチ包装体を吊り下げ保持できる形状であればよい。
【００３７】
尚、口当たり緩和部材として帯状ファスナー４を採用したが、密封機能を持たない帯状や線状の部材を口当たり緩和部材として用いてもよい。例えば、図６のように口当たり緩和部材として帯状部材５を固着してもよい。この場合も上述したのと同様にその上端５ａを丸くすると共に局所的に厚くすることが好ましく、また、上端５ａが主シート片１１の切断端面１１ａよりも若干上方に突出することが好ましい。この場合には帯状部材５の上端５ａが口当接部となる。尚、開口部Ｐを再封することが必要な場合には、例えばパウチ包装体にタックラベルを再貼着可能に貼り付けておき、このタックラベルを用いて開口部Ｐを簡易的に閉じるようにしてもよいし、パウチ包装袋１の上部を１回あるいは複数回折り畳むことで閉じるようにしてもよいし、あるいはまたクリップ等の別途の挟み具を使用して閉じるようにしてもよい。
【００３８】
また、密封機能を持たない帯状や線状の部材を口当たり緩和部材として用いる場合においては、その口当たり緩和部材の下側に別途帯状ファスナーを配置してもよい。例えば、図７及び図８のように、上側に口当たり緩和部材としての帯状部材５を配置すると共に、その下側には帯状部材５と平行に帯状ファスナー４を配置するようにしてもよい。この場合、開封用ノッチ２３は帯状部材５の上端５ａ近傍に対応した位置とする。尚、図７及び図８では、帯状部材５と帯状ファスナー４とを上下に離して配置しているが、両者を離すことなく上下に並べて配置してもよい。
【００３９】
更に、図９のように長手方向に沿って切離線６２が形成された帯状部材６を口当たり緩和部材として設けてもよい。開封開始手段としての開封用ノッチ２３は必ずしも設けなくてもよいが、それを設ける場合には図９のように切離線６２に対応した位置に設けるようにする。そして開封時には切離線６２で帯状部材６を上下に分断する。図１０のように、帯状部材６の上分割片６０はパウチ包装袋１の上部と共に切り離され、帯状部材６の下分割片６１はそのままパウチ包装袋１に残存する。該帯状部材６の下分割片６１はパウチ包装袋１の開口縁部１ａの内側に位置し、その上端６１ａが口当接部となって口当たりを緩和する。尚、切離線６２は種々のものが採用可能であって、連続した溝状のものであってもよいし、ミシン目状のものであってもよい。
【００４０】
同様に、帯状ファスナー４を上下に分断する構成としてもよい。例えば、図１１のように、帯状ファスナー４の台座４２における上側片部５０に切離線５５を設け、該切離線５５で上側片部５０が上下に分断可能としてもよい。この場合、上側片部５０を下側片部５１よりも上下方向の長さを長くしておくことが好ましい。また、開封用ノッチ２３を設ける場合には切離線５５に対応させる。そして、開封すると図１２のように台座４２の上側片部５０の上分割片５２は切り離される一方、上側片部５０の下分割片５３は帯状ファスナー４の他の部分と共にパウチ包装袋１に残存して開口縁部１ａの内側に位置し、その上端５３ａが口当接部となって口当たりを緩和すると同時に、残存する帯状ファスナー４によって再封機能も発揮される。このように帯状ファスナー４の台座４２の上部を開封時に切離線５５で切り離して、パウチ包装袋１に残存する帯状ファスナー４の残部の上端を口当接部としてもよい。
【００４１】
尚、帯状部材６や帯状ファスナー４を長手方向に沿って裂けやすい材質とすれば切離線６２，５５がなくても上下に二分割できる。
【００４２】
また、口当たり緩和部材として台座４２を有しないファスナーを用いてもよい。また更に、口当たり緩和部材は、パウチ包装袋１の開口縁部１ａの全周に亘って設けられていなくてもよく、部分的であってもよい。但し、口当たり緩和部材が全周に亘って連続して設けられていると、開口部Ｐの形状が安定しやすいため好ましい。
【００４３】
尚、開封用ノッチ２３は省略してもよく、その他、開封開始位置を目印等で示すようにしてもよい。
【００４４】
また、パウチ包装袋１の形態も任意であって、上述したようなスタンディングパウチが容量確保の観点から好ましいものではあるが、ガセットを有しない平パウチであってもよい。
【００４５】
また、内容物に関しても即席麺２には限られず、インスタントコーヒーのような粉末状のものであって開封後に湯や水等の液体を入れて飲む飲料であってもよい。また、収容状態において既にスープ等の液体が含まれた状態の飲食物（コーヒー等の飲料でもよい）であってもよい。これらの場合において液体には流動食のような流動体も含まれる。何れにしても、開封後にパウチ包装袋１の開口縁部１ａに口を付けて流し込むように飲食することがあり得る飲食物であればよい。
【符号の説明】
【００４６】
１    パウチ包装袋
１ａ  開口縁部
２    即席麺（飲食物）
３    袋本体
４    帯状ファスナー（口当たり緩和部材）
５    帯状部材（口当たり緩和部材）
５ａ  上端（口当接部）
６    帯状部材（口当たり緩和部材）
１０    底部ガセット部
１０ａ  折り返し部
１１    主シート片
１１ａ  切断端面
１２    ガセットシート片
２０    サイドシール部
２０ａ  上部領域
２０ｂ  下部領域
２１    上端シール部
２２    吊り下げ孔（吊り下げ部）
２３    開封用ノッチ
２４    底部ガセットシール部
３０    突片
３１    非シール部
３２    切り込み
３３    舌片状部
４０    雄型ファスナー片
４１    雌型ファスナー片
４２    台座
４２ａ  上端（口当接部）
４３    雄型突条（嵌合突条）
４４    雌型突条（嵌合突条）
４４ａ  凹溝
５０    上側片部
５１    下側片部
５２    上分割片
５３    下分割片
５３ａ  上端
５５    切離線
６０    上分割片
６１    下分割片
６１ａ  上端
６２    切離線
Ｐ    開口部
【図１】
0005776057.tif 000002
【図２】
0005776057.tif 000003
【図３】
0005776057.tif 000004
【図４】
0005776057.tif 000005
【図５】
0005776057.tif 000006
【図６】
0005776057.tif 000007
【図７】
0005776057.tif 000008
【図８】
0005776057.tif 000009
【図９】
0005776057.tif 000010
【図１０】
0005776057.tif 000011
【図１１】
0005776057.tif 000012
【図１２】
0005776057.tif 000013